(57)【要約】【課題】制御回路に水が付着する可能性を低減できる電動工具を提供する。【解決手段】駆動部２２は、モータ２１から供給される動力により先端工具を駆動する。スイッチ４１は、操作部３１に手動操作がされると開閉する。制御回路４２は、スイッチ４１の開閉に応じてモータ２１を動作又は停止させる。ハウジング５は、第一空間Ｓ１と、第二空間Ｓ２とを有し、操作部３１を保持する。第一空間Ｓ１には、モータ２１及び駆動部２２が配置される。第二空間Ｓ２には、スイッチ４１及び制御回路４２が配置される。第一空間Ｓ１と第二空間Ｓ２とが互いに分離されている。第二空間Ｓ２は、閉じた空間であり、第一空間Ｓ１と比べて水密性が高い。【選択図】図２
2019076994.tif 000002
【特許請求の範囲】
【請求項１】
モータと、
前記モータから供給される動力により先端工具を駆動する駆動部と、
手動操作を受け付ける操作部と、
前記操作部に前記手動操作がされると開閉するスイッチと、
前記スイッチの開閉に応じて前記モータを動作又は停止させる制御回路と、
前記モータ及び前記駆動部が配置される第一空間と、前記スイッチ及び前記制御回路が配置される第二空間とを有し、前記操作部を保持するハウジングと、を備え、
前記第一空間と前記第二空間とが互いに分離されており、
前記第二空間は、閉じた空間であり、前記第一空間と比べて水密性が高い
電動工具。
【請求項２】
前記第一空間に配置され、前記モータを冷却する冷却ファンを更に備え、
前記ハウジングには、前記第一空間につながっている通気孔が形成されている
請求項１記載の電動工具。
【請求項３】
前記ハウジングは、
前記第一空間の少なくとも一部を有する筒状部と、
前記第二空間の少なくとも一部を有し、前記筒状部の周面から突出しているグリップ部と、を含み、
前記操作部は、前記グリップ部に保持されている
請求項１又は２に記載の電動工具。
【請求項４】
電池パックと電気的に接続される端子を含む端子ブロックを更に備え、
前記ハウジングには、前記第二空間につながっており前記端子ブロックが嵌め込まれる嵌込孔が形成されており、
前記ハウジングの前記嵌込孔における開口縁と前記端子ブロックとの隙間を塞ぐ閉塞部を更に備える
請求項１〜３のいずれか一項に記載の電動工具。
【請求項５】
前記ハウジングの内面から突出しており、前記第一空間と前記第二空間とを分離し、前記モータ及び前記駆動部を保持する保持壁を更に備える
請求項１〜４のいずれか一項に記載の電動工具。
【請求項６】
前記第一空間と前記第二空間とに亘って配置され、前記モータと前記制御回路とを電気的に接続する配線を更に備え、
前記保持壁には、前記配線を通す挿通孔が形成されており、
前記保持壁の前記挿通孔における開口縁と前記配線との隙間を塞ぐ封止体を更に備える
請求項５記載の電動工具。
【請求項７】
前記ハウジングは、互いに合わさって前記第二空間を形成する第一部材及び第二部材を含み、
前記第一部材及び前記第二部材の合わせ目の隙間を塞ぐことにより、前記第二空間を封止する封止部を更に備える
請求項１〜６のいずれか一項に記載の電動工具。
【発明の詳細な説明】
【技術分野】
【０００１】
本発明は電動工具に関し、より詳細には、モータを動作又は停止させる制御回路を備える電動工具に関する。
【背景技術】
【０００２】
従来例として特許文献１記載の電動工具を例示する。特許文献１記載の電動工具は、ブラシレスモータを収容するハウジングと、ハウジング内に配置されるトリガスイッチと、ハウジング内に配置される制御回路基板と、ブラシレスモータと制御回路基板とを接続する電源線と、トリガスイッチと制御回路基板とを接続する信号線と、仕切部と、弾性体と、を含む。仕切部は、ハウジング内に形成され、電源線及び信号線が通過する孔を除いてブラシレスモータ及びトリガスイッチと制御回路基板との間を仕切り、弾性体は、孔を塞ぐ。仕切部及び弾性体により、トリガスイッチ側から制御回路基板側への水や塵埃の移動が抑制される。
【先行技術文献】
【特許文献】
【０００３】
【特許文献１】特開２０１７−８７３３０号公報
【発明の概要】
【発明が解決しようとする課題】
【０００４】
特許文献１記載の電動工具において、制御回路基板（制御回路）に水が付着する可能性を更に低減することを求められることがあった。
【０００５】
本発明は、制御回路に水が付着する可能性を低減できる電動工具を提供することを目的とする。
【課題を解決するための手段】
【０００６】
上記の課題を解決するために、本発明の一態様に係る電動工具は、モータと、駆動部と、操作部と、スイッチと、制御回路と、ハウジングと、を備える。前記駆動部は、前記モータから供給される動力により先端工具を駆動する。前記操作部は、手動操作を受け付ける。前記スイッチは、前記操作部に前記手動操作がされると開閉する。前記制御回路は、前記スイッチの開閉に応じて前記モータを動作又は停止させる。前記ハウジングは、第一空間と、第二空間とを有し、前記操作部を保持する。前記第一空間には、前記モータ及び前記駆動部が配置される。前記第二空間には、前記スイッチ及び前記制御回路が配置される。前記第一空間と前記第二空間とが互いに分離されている。前記第二空間は、閉じた空間であり、前記第一空間と比べて水密性が高い。
【発明の効果】
【０００７】
本発明の一態様に係る電動工具では、制御回路に水が付着する可能性を低減できる。
【図面の簡単な説明】
【０００８】
【図１】図１は、一実施形態に係る電動工具の斜視図である。
【図２】図２は、同上の電動工具の内部を示す図である。
【図３】図３は、同上の電動工具のハウジングの分解斜視図である。
【図４】図４は、同上の電動工具の要部の分解斜視図である。
【図５】図５は、同上の電動工具の端子ブロック及び閉塞部の斜視図である。
【図６】図６は、図２のＡ１部分の拡大図である。
【発明を実施するための形態】
【０００９】
以下、実施形態に係る電動工具について、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１０】
図１に示すように、電動工具１は、ハウジング５を備えている。ハウジング５は、筒状部６と、筒状部６の周面６０から突出したグリップ部７と、を含む。また、ハウジング５は、第一部材Ｍ１及び第二部材Ｍ２を含む。ハウジング５の一部は、第一部材Ｍ１及び第二部材Ｍ２が互いに合わさって形成される。
【００１１】
以下、特に断りのない限り、図１において筒状部６とグリップ部７とが並んでいる方向を上下方向と規定し、筒状部６側を上とし、グリップ部７側を下と規定する。第一部材Ｍ１と第二部材Ｍ２とが向かい合っている方向を左右方向と規定し、第一部材Ｍ１側を右とし、第二部材Ｍ２側を左とする。筒状部６の軸方向を前後方向と規定し、筒状部６において先端工具が取り付けられる側（先端工具が取り付けられる駆動軸１１が位置する側）を前とし、反対側を後とする。
【００１２】
本実施形態の電動工具１は、手持ち形電動工具である。電動工具１は、図２に示すように、モータ２１と、駆動部２２と、操作部（トリガ）３１と、スイッチ４１と、制御回路４２と、ハウジング５と、を備えている。電動工具１には、電池パックが取り付けられる。電動工具１は、電池パックに収容された複数（例えば８つ）の電池を電源とする。電池は、例えば、リチウムイオン電池等の２次電池である。電動工具１は、駆動軸１１（図１参照）と、駆動部２２を収容している収容部２２０と、を更に備えている。
【００１３】
操作部３１は、操作部３１を引き込む手動操作を受け付ける。スイッチ４１は、例えば、メカニカルスイッチである。スイッチ４１は、操作部３１に手動操作がされると開閉する。制御回路４２は、スイッチ４１の開閉に応じてモータ２１を動作又は停止させる。すなわち、ユーザが操作部３１を引き込んでスイッチ４１が閉じると、制御回路４２は、モータ２１を動作させる。ユーザが操作部３１を引き込む手動操作を止めてスイッチ４１が開くと、制御回路４２は、モータ２１を停止させる。制御回路４２は、例えば、ｎチャネルＭＯＳＦＥＴ（Metal Oxide Semiconductor Field Effect Transistor）からなる駆動スイッチを含み、駆動スイッチをオンオフすることで、モータ２１への電力の供給を制御し、モータ２１を動作又は停止させる。駆動部２２は、モータ２１から供給される動力により駆動軸１１（図１参照）を駆動する。これにより駆動部２２は、駆動軸１１に取り付けられた先端工具を駆動する。
【００１４】
先端工具は、例えば、ドリルビット又はドライバビット等のビットである。すなわち、電動工具１は、天井材若しくは壁材等への孔開け、又はねじ締め等に用いられる。駆動部２２は先端工具を駆動して回転運動させる。
【００１５】
図１、２に示すように、ハウジング５は、筒状部６と、グリップ部７と、を含む。ハウジング５は、装着部８を更に含む。
【００１６】
筒状部６は、略有底円筒状に形成されている。筒状部６は、筒本体６１と、椀部６２と、第一蓋部６３と、第二蓋部６４と、を含む。図２では、第二部材Ｍ２を省略し、椀部６２、第一蓋部６３及び第二蓋部６４については、左右方向と直交する断面を示している。
【００１７】
筒本体６１の軸方向は前後方向に沿っており、筒本体６１は、前側ほど直径が小さい円筒状に形成されている。椀部６２は、筒本体６１の前端に取り付けられる。椀部６２の軸方向は前後方向に沿っており、椀部６２は、前側ほど直径が小さい円筒状に形成されている。
【００１８】
駆動軸１１は、先端工具が挿入される挿入穴１１０が形成された円柱状に形成されている。駆動軸１１は、椀部６２の内側を通って椀部６２の前端の開口部６２０から前方へ突出している。
【００１９】
図３に示すように、第一蓋部６３は、円盤状の壁部６３１と、側壁６３２と、を有している。壁部６３１の厚み方向は、前後方向に沿っている。側壁６３２は、壁部６３１の周縁６３３のうち下側の部分を除いた領域から、前方に突出している。第二蓋部６４は、円盤状の壁部６４１と、側壁６４２と、を有している。壁部６４１の厚み方向は、前後方向に沿っている。側壁６４２は、壁部６４１の周縁６４３のうち下側の部分を除いた領域から、前方に突出している。第一蓋部６３は、筒本体６１（図２参照）の後端の開口部６１０（図２参照）を覆うように筒本体６１に取り付けられる。第二蓋部６４は、筒本体６１に取り付けられた第一蓋部６３の後方から、第一蓋部６３を覆うように第一蓋部６３に取り付けられる。
【００２０】
図１、２に示すように、グリップ部７は、筒状に形成されている。グリップ部７は、筒状部６の周面６０のうち下側から上下方向に沿って突出している。グリップ部７において、上下方向と直交する断面における形状は楕円状である。
【００２１】
ハウジング５は、筒状部６とグリップ部７との間に保持壁５１を含む。保持壁５１は、板状に形成されている。保持壁５１の厚み方向は、上下方向に沿っている。後述するように、保持壁５１は、モータ２１及び駆動部２２を保持する。保持壁５１には、挿通孔５１０が形成されている。挿通孔５１０は、保持壁５１を厚み方向に貫通している。
【００２２】
図１〜３に示すように、装着部８は、下面が開口した箱状に形成されている。装着部８は、基部８１と、２つの側壁８２と、を含む。基部８１は、長方形の板状に形成されている。基部８１の厚み方向は、上下方向に沿っている。基部８１の前端、左端及び右端は、下向きに屈曲している。基部８１は、上面８０１に第一開口部８０２及び第二開口部８０３が形成されている。２つの側壁８２は、基部８１における左端及び右端から下方へ突出している。グリップ部７は、基部８１の第一開口部８０２の周縁から上方へ突出している。グリップ部７の内部の空間と、装着部８の内部の空間とは、第一開口部８０２を通じてつながっている。基部８１は、第一開口部８０２よりも後方の部位が、後側ほど下に位置するように屈曲している。
【００２３】
電動工具１は、仕切部４５０を更に備えている。仕切部４５０は、装着部８の内部の空間を上下２つの空間Ｓ３１、Ｓ３２に分離している。仕切部４５０は、上面が開口した直方体状に形成されている。仕切部４５０は、２つの側壁８２の間に保持されている。より詳細には、２つの側壁８２の互いに向かい合う面にそれぞれ、窪み８２０（図３参照：図３では１つのみを図示）が形成されており、これら２つの窪み８２０に仕切部４５０の左端及び右端が嵌め込まれることにより、仕切部４５０が保持されている。装着部８の内部の空間Ｓ３１、Ｓ３２のうち、上側の空間Ｓ３１は、グリップ部７の内部の空間につながっており、下側の空間Ｓ３２は、ハウジング５の外部に開放されている。
【００２４】
ハウジング５は、第一部材Ｍ１及び第二部材Ｍ２を含む。第一部材Ｍ１及び第二部材Ｍ２は、互いに合わさって筒本体６１、グリップ部７及び装着部８を形成する。より詳細には、第一部材Ｍ１は、筒本体６１、グリップ部７及び装着部８の右半分の構成を有しており、第二部材Ｍ２は、筒本体６１、グリップ部７及び装着部８の左半分の構成を有している。
【００２５】
第一部材Ｍ１は、複数（図２では３つ）の凸部５４を有している。第二部材Ｍ２は、複数の凸部５４が嵌め込まれる複数（図３では３つ）の凹部５５を有している。複数の凸部５４及び複数の凹部５５は、第一部材Ｍ１及び第二部材Ｍ２の合わせ目である領域に形成されている。
【００２６】
より詳細には、第一部材Ｍ１において、グリップ部７の右半分を構成する部位の前側左端と、装着部８の右半分を構成する部位の前側左端とに１つずつ、凸部５４が形成されている。また、第一部材Ｍ１において、保持壁５１の右半分を構成する部位（第一保持壁５２：図２参照）の後側左端からグリップ部７の右半分を構成する部位の後側左端を経て装着部８の右半分を構成する部位の後側左端に亘る領域に、凸部５４が形成されている。
【００２７】
さらに、第二部材Ｍ２において、グリップ部７の左半分を構成する部位の前側右端と、装着部８の左半分を構成する部位の前側右端とに１つずつ、凹部５５が形成されている。また、第二部材Ｍ２において、保持壁５１の左半分を構成する部位（第二保持壁５３：図３参照）の後側右端からグリップ部７の左半分を構成する部位の後側右端を経て装着部８の左半分を構成する部位の後側右端に亘る領域に、凹部５５が形成されている。
【００２８】
すなわち、複数の凸部５４は、左右方向から見て、複数の凸部５４の間にグリップ部７の内部の空間及び装着部８の内部上側の空間Ｓ３１が位置するように形成されている。また、複数の凹部５５は、左右方向から見て、複数の凹部５５の間にグリップ部７の内部の空間及び装着部８の内部上側の空間Ｓ３１が位置するように形成されている。
【００２９】
電動工具１は、複数（図３では３つ）の封止部５６と、パッキン５７と、封止部５８と、を更に備えている。複数の封止部５６、パッキン５７及び封止部５８はそれぞれ、例えば、ゴム等の弾性体を材料とするパッキンである。
【００３０】
第一部材Ｍ１及び第二部材Ｍ２が互いに結合するとき、複数の凹部５５に複数の凸部５４が嵌め込まれる。さらに、複数の凸部５４及び複数の凹部５５の間に生じる隙間にはそれぞれ、封止部５６が挟まれる。この状態で、第一部材Ｍ１と第二部材Ｍ２とがねじ止め等により結合される。複数の封止部５６により、複数の凸部５４及び複数の凹部５５の間に生じる隙間が塞がれる。
【００３１】
保持壁５１は、第一保持壁５２（図２参照）と、第二保持壁５３（図３参照）と、を含む。第一保持壁５２は、第一部材Ｍ１と一体に形成されており、第一部材Ｍ１から突出している。第二保持壁５３は、第二部材Ｍ２と一体に形成されており、第二部材Ｍ２から突出している。つまり、第一保持壁５２及び第二保持壁５３は、ハウジング５の内面から突出している。第一保持壁５２は、保持壁５１の右半分の構成を有しており、第二保持壁５３は、保持壁５１の左半分の構成を有している。第一保持壁５２の左端と第二保持壁５３の右端とが互いに合わさって、保持壁５１を形成する。
【００３２】
第一保持壁５２は、凸部５２０を有している。第二保持壁５３は、凸部５２０が嵌め込まれる凹部５３０を有している。凸部５２０及び凹部５３０は、第一保持壁５２及び第二保持壁５３の合わせ目である領域に形成されている。より詳細には、凸部５２０は、第一保持壁５２の左端に形成されており、凹部５３０は、第二保持壁５３の右端に形成されている。
【００３３】
第一部材Ｍ１及び第二部材Ｍ２が互いに結合するとき、凹部５３０に凸部５２０が嵌め込まれる。さらに、凸部５２０及び凹部５３０の間に生じる隙間にはそれぞれ、パッキン５７（図３参照）が挟まれる。この状態で、第一部材Ｍ１と第二部材Ｍ２とがねじ止め等により結合される。パッキン５７により、凸部５２０と凹部５３０との間に生じる隙間が塞がれる。
【００３４】
また、封止部５８（図３参照）は、環状に形成されており、仕切部４５０の周りに巻き付けられる。仕切部４５０に封止部５８が巻き付けられてから、第一部材Ｍ１及び第二部材Ｍ２の各々に形成された窪み８２０（図３参照）に、仕切部４５０の左端及び右端が嵌め込まれる。封止部５８により、仕切部４５０と２つの側壁８２との隙間が塞がれる。
【００３５】
図２、４に示すように、グリップ部７は、開口部７０を有している。開口部７０は、グリップ部７の前側上端付近に形成されている。また、グリップ部７は、溝部７１を有している。溝部７１は、グリップ部７の開口部７０における開口縁７２に、環状に形成されている。
【００３６】
電動工具１は、スイッチ４１が実装された基板４３と、スイッチ４１及び基板４３を収容するスイッチケース４４と、操作部（トリガ）３１を覆うカバー３２と、を更に備えている。
【００３７】
カバー３２は、例えば、ゴム等の弾性体により形成されている。カバー３２は、カバー本体３２１と、枠部３２２とを含む。カバー本体３２１は、一の面が開口した箱状に形成されている。すなわち、カバー本体３２１には、開口部３２３が形成されている。枠部３２２は、カバー本体３２１のうち開口部３２３の周囲から外向きに延びている。
【００３８】
操作部３１は、カバー３２の開口部３２３に挿入されて、カバー３２の内部に収容される。カバー３２は、グリップ部７の開口部７０に挿入され、枠部３２２がグリップ部７の溝部７１に嵌め込まれた状態で、グリップ部７に保持される。これにより、操作部３１は、カバー３２を介してハウジング５のグリップ部７に保持される。カバー３２は、グリップ部７の開口部７０における開口縁と操作部３１との隙間を塞いでいる。
【００３９】
図１、２に示すように、電動工具１は、駆動軸１１の回転方向を切り替える操作を受け付ける方向切替部３３と、方向切替部３３を覆うカバー３４とを更に備えている。カバー３４は、例えば、ゴム等の弾性体により形成されている。方向切替部３３は、カバー３４に覆われた状態で、グリップ部７に形成された２つの開口部７３に挿入される。２つの開口部７３は、第一部材Ｍ１と第二部材Ｍ２とに１つずつ、左右に並んで形成されている。方向切替部３３は、ハウジング５の２つの開口部７３における開口縁に架け渡されて、ハウジング５の左右に突出している。カバー３４は、グリップ部７の２つの開口部７３における開口縁と方向切替部３３との隙間を塞いでいる。
【００４０】
電動工具１は、制御回路４２が実装された基板４５と、操作パネル４６と、パッキン５９と、を更に備えている。
【００４１】
操作パネル４６は、基部８１の第二開口部８０３に嵌め込まれている。パッキン５９は、枠状に形成されており、基部８１の第二開口部８０３における開口縁と操作パネル４６との隙間を塞いでいる。操作パネル４６は、駆動軸１１に加えられる回転トルクの大きさを変更する操作の入力を受け付ける。また、操作パネル４６は、後述の発光部２３を点灯させるための操作の入力を受け付ける。ユーザが操作パネル４６に対して操作を行うと、制御回路４２は、操作を感知して操作内容に対応した処理を行う。また、操作パネル４６は、装着部８に取り付けられた電池パックの電池の残量を表示する。
【００４２】
制御回路４２が実装された基板４５は、仕切部４５０から仕切部４５０の内部へ突出した複数の小片に載せられることにより、仕切部４５０の内部において保持されている。仕切部４５０の内部は、樹脂等の封止剤が充填されている。すなわち、制御回路４２は、封止剤に覆われている。
【００４３】
仕切部４５０と、基部８１の後側領域との間には、嵌込孔８０４が形成されている。嵌込孔８０４は、前後方向及び左右方向に幅を有する長方形状である。電動工具１は、嵌込孔８０４に嵌め込まれる端子ブロック４７を更に備えている。
【００４４】
図２、５に示すように、端子ブロック４７は、電池パックと電気的に接続される２つの端子４７１を含む。また、端子ブロック４７は、嵌合部４７２と、端子保持部４７３と、複数（図５では３つ）の線接続部４７４と、を更に含む。嵌合部４７２は、長方形の板状に形成されている。端子保持部４７３は、嵌合部４７２の表面から突出しており、２つの端子４７１を保持している。複数の線接続部４７４は、嵌合部４７２のうち、端子保持部４７３が形成されている側とは反対側の表面から突出している。
【００４５】
複数の線接続部４７４はそれぞれ、複数の筒状の圧着端子により形成されている。複数の線接続部４７４にはそれぞれ、配線１００が接続される。複数の線接続部４７４のうち、２つの線接続部４７４は、２つの端子４７１の一方と電気的に接続されており、残りの線接続部４７４は、他方の端子４７１と電気的に接続されている。装着部８に電池パックを装着することにより、２つの端子４７１を電池パックに電気的に接続すると、電池パックからの電力が電動工具１の各種の回路に供給される。各種の回路とは、制御回路４２と、スイッチケース４４内の基板４３に実装された、スイッチ４１を含む回路と、モータ２１を駆動する駆動回路２４と、を含む。
【００４６】
電動工具１は、閉塞部４８を更に含む。閉塞部４８は、例えば、ゴム等の弾性体を材料とするパッキンで形成されている。閉塞部４８は、嵌合部４７２の外周に沿って嵌合部４７２に巻き付けられる。端子ブロック４７は、閉塞部４８が取り付けられた状態で、嵌込孔８０４に嵌め込まれる。装着部８は、端子ブロック４７の嵌合部４７２が嵌め込まれる溝８０５を複数有している。図２では、嵌込孔８０４の後側の溝８０５のみを図示しているが、嵌込孔８０４の左右にも１つずつ溝８０５が形成されている。嵌合部４７２が複数の溝８０５に嵌め込まれることにより、嵌込孔８０４の内側に端子ブロック４７が保持される。また、閉塞部４８は、複数の溝８０５と嵌合部４７２との隙間を塞いでいる。つまり、閉塞部４８は、ハウジング５（装着部８）の嵌込孔８０４における開口縁（複数の溝８０５の内面を含む）と端子ブロック４７との隙間を塞いでいる。
【００４７】
電動工具１は、電動工具１をユーザのベルト等に引っ掛けるための引掛フック１２を更に備えている。引掛フック１２は、装着部８における下側の空間Ｓ３２に挿入され、ねじ１２０を用いて装着部８に固定される。引掛フック１２は、前後方向から見てＵ字状に屈曲している部位をハウジング５の外部に有している。より詳細には、引掛フック１２は、枠状の板をＵ字状に曲げた形状の部位を有している。
【００４８】
図６に示すように、筒状部６とグリップ部７との間の保持壁５１に設けられた挿通孔５１０には、複数の配線１００が通される。さらに、挿通孔５１０には、封止体５１１が挿入される。封止体５１１は、例えば、ゴム等の弾性体、発泡ウレタン等のクッション性部材、コーティング剤、接着剤、シーリング剤又は充填剤により形成されている。封止体５１１は、保持壁５１の挿通孔５１０における開口縁と複数の配線１００との隙間を塞いでいる。
【００４９】
図２に示すように、複数の配線１００により、基板４３上のスイッチ４１を含む回路と、制御回路４２と、端子ブロック４７の複数の線接続部４７４と、駆動回路２４と、発光部２３とが電気的に接続されている。制御回路４２は、配線１００が接続される複数（図２では２つ）のコネクタ４２１を有している。また、駆動回路２４も、配線１００が接続される複数のコネクタを有している。
【００５０】
また、制御回路４２は、電池パックの温度情報及び電池の電圧情報を取得するためのコネクタ４２２を有している。コネクタ４２２は、基板４５の下面に実装されており、仕切部４５０に設けられた貫通孔を通して仕切部４５０の下方へ突出している。仕切部４５０に設けられた貫通孔の内部におけるコネクタ４２２と仕切部４５０との隙間は、仕切部４５０の内部に充填され制御回路４２を覆っている封止剤により塞がれている。
【００５１】
ハウジング５は、モータ２１及び駆動部２２が配置される第一空間Ｓ１と、スイッチ４１及び制御回路４２が配置される第二空間Ｓ２とを有している。筒状部６は、内部に第一空間Ｓ１を有し、グリップ部７は、内部に第二空間Ｓ２の一部を有する。装着部８の内部の空間は、仕切部４５０により上下２つの空間Ｓ３１、Ｓ３２に分離されており、第二空間Ｓ２は、装着部８のこれら２つの空間Ｓ３１、Ｓ３２のうちグリップ部７に近い側（上側）の空間Ｓ３１と、グリップ部７の内部の空間とを含む。保持壁５１は、第一空間Ｓ１と第二空間Ｓ２とを分離している。第一部材Ｍ１及び第二部材Ｍ２が互いに合わさることにより、第一空間Ｓ１及び第二空間Ｓ２が形成される。
【００５２】
保持壁５１の挿通孔５１０に通される複数の配線１００は、第一空間Ｓ１と第二空間Ｓ２とに亘って配置され、駆動回路２４を介して、モータ２１と制御回路４２とを電気的に接続している。また、保持壁５１の挿通孔５１０に通される別の配線１００は、発光部２３と制御回路４２とを電気的に接続している。
【００５３】
第二空間Ｓ２は、閉じた空間であり、第一空間Ｓ１と比べて水密性が高い。第二空間Ｓ２は、保持壁５１により上から覆われており、保持壁５１の挿通孔５１０における開口縁と複数の配線１００との隙間は、封止体５１１（図６参照）により塞がれている。これにより、第二空間Ｓ２は、第一空間Ｓ１から水が浸入しないよう封止されている。また、保持壁５１の第一保持壁５２及び第二保持壁５３の合わせ目の隙間は、パッキン５７（図３参照）により塞がれている。これにより、第二空間Ｓ２は、第一保持壁５２及び第二保持壁５３の合わせ目の隙間から水が浸入しないよう封止されている。
【００５４】
また、第二空間Ｓ２は、グリップ部７により前後、左右から覆われており、第一部材Ｍ１及び第二部材Ｍ２（図３参照）の合わせ目の隙間は、複数の封止部５６（図３参照）により塞がれている。これにより、第二空間Ｓ２は、第一部材Ｍ１及び第二部材Ｍ２の合わせ目の隙間から水が浸入しないよう封止されている。
【００５５】
また、操作部３１がカバー３２の内部に収容された状態で、グリップ部７の開口部７０にカバー３２が挿入され、カバー３２の枠部３２２（図４参照）がグリップ部７の溝部７１（図４参照）に嵌め込まれる。すなわち、カバー３２を設けずに操作部３１を直接開口部７０に挿入する場合は、グリップ部７の開口部７０における開口縁と操作部３１との隙間から第二空間Ｓ２に水が浸入する可能性があるが、カバー３２を設けることにより隙間が塞がり、第二空間Ｓ２に水が浸入する可能性が低減される。
【００５６】
また、グリップ部７の２つの開口部７３における開口縁と方向切替部３３との隙間は、カバー３４により塞がれている。これにより、第二空間Ｓ２は、グリップ部７の２つの開口部７３における開口縁と方向切替部３３との隙間から水が浸入しないよう封止されている。
【００５７】
また、第二空間Ｓ２は、仕切部４５０により下から覆われている。仕切部４５０と２つの側壁８２との隙間は、封止部５８（図３参照）により塞がれている。これにより、第二空間Ｓ２は、仕切部４５０と２つの側壁８２との隙間から水が浸入しないよう封止されている。
【００５８】
また、仕切部４５０と基部８１の後側領域との間に形成された嵌込孔８０４は、第二空間Ｓ２につながっている。嵌込孔８０４には、端子ブロック４７が嵌め込まれ、ハウジング５の嵌込孔８０４における開口縁と端子ブロック４７との隙間は、閉塞部４８により塞がれている。これにより、第二空間Ｓ２は、ハウジング５の嵌込孔８０４における開口縁と端子ブロック４７との隙間から水が浸入しないよう封止されている。
【００５９】
また、装着部８の基部８１の第二開口部８０３に嵌め込まれた操作パネル４６と、基部８１の第二開口部８０３における開口縁との隙間は、パッキン５９により塞がれている。これにより、第二空間Ｓ２は、基部８１の第二開口部８０３における開口縁と操作パネル４６との隙間から水が浸入しないよう封止されている。
【００６０】
また、コネクタ４２２と仕切部４５０との隙間は、仕切部４５０の内部に充填され制御回路４２を覆っている封止剤により塞がれている。これにより、第二空間Ｓ２は、コネクタ４２２と仕切部４５０との隙間から水が浸入しないよう封止されている。
【００６１】
このように、電動工具１において、第二空間Ｓ２への水の浸入経路となる隙間が塞がれている。
【００６２】
電動工具１は、前述の発光部２３と、モータ２１を駆動する前述の駆動回路２４と、駆動回路２４が実装された基板２５と、駆動回路２４をコーティングしているコーティング部２６と、冷却ファン２７と、を更に備えている。モータ２１、駆動部２２、発光部２３、駆動回路２４、基板２５、コーティング部２６及び冷却ファン２７は、筒状部６に収容されているので、第一空間Ｓ１に配置されている。
【００６３】
発光部２３は、例えば、発光ダイオードを含む。発光部２３は、筒状部６の前面から露出しており、光を前方に放射する。
【００６４】
モータ２１は、例えば、ブラシレスモータである。駆動回路２４は、複数（例えば６つ）のパワー素子と、モータ２１のロータの位置を検出するホールＩＣと、温度センサとを含む。各パワー素子は、例えば、ＦＥＴ（Field Effect Transistor）である。駆動回路２４を構成する複数の電子部品の中では、複数のパワー素子の発熱量が最も大きい。コーティング部２６は、樹脂等の封止剤により形成されており、駆動回路２４の全体をコーティングしている。
【００６５】
筒状部６の内部において、基板２５、モータ２１、冷却ファン２７及び駆動部２２は、後方から前方へこの順番で並んでいる。モータ２１及び駆動部２２は、保持壁５１に保持されている。より詳細には、モータ２１と、駆動部２２を収容している収容部２２０とは、筒状部６の径方向において保持壁５１と筒状部６とにより囲まれ、保持壁５１と筒状部６とに接した状態で、筒状部６の内部に保持されている。駆動部２２は、収容部２２０を介して保持壁５１に保持されている。
【００６６】
図１に示すように、ハウジング５には、複数の通気孔６００が形成されている。複数の通気孔６００は、筒状部６を左右方向に貫通しており、ハウジング５の外部の空間と第一空間Ｓ１とをつないでいる。より詳細には、複数の通気孔６００は、筒状部６のうち冷却ファン２７に対向する領域と、基板２５に対向する領域とに形成されている。
【００６７】
第一空間Ｓ１は、筒状部６の複数の通気孔６００を通してハウジング５の外部の空間につながっている。冷却ファン２７は、モータ２１及び駆動回路２４に送風してモータ２１及び駆動回路２４を冷却する。したがって、複数の通気孔６００及び冷却ファン２７によりモータ２１及び駆動回路２４の周囲の空気を入れ替えて、モータ２１及び駆動回路２４を空冷することができる。一方で、第二空間Ｓ２は閉じた空間であり、第二空間Ｓ２への水の浸入経路となる隙間が塞がれているので、スイッチ４１及び制御回路４２に水が付着する可能性を低減することができる。
【００６８】
第一空間Ｓ１と第一空間Ｓ１の外部とが複数の通気孔６００を通してつながっているのに対して、第二空間Ｓ２と第二空間Ｓ２の外部との隙間は塞がれている。すなわち、第二空間Ｓ２は、第一空間Ｓ１よりも閉じた空間である。
【００６９】
（変形例）
以下に、実施形態の変形例を列挙する。以下の変形例は、適宜組み合わせて実現されてもよい。
【００７０】
実施形態では、第一部材Ｍ１に形成された複数の凸部５４が、第二部材Ｍ２に形成された複数の凹部５５に嵌め込まれることにより、第一部材Ｍ１及び第二部材Ｍ２が互いに結合する。ここで、各凸部５４と、この凸部５４が嵌め込まれる凹部５５との間に封止部５６を挟んで、凸部５４を凹部５５に嵌め込むことで、第一部材Ｍ１及び第二部材Ｍ２の合わせ目の隙間を塞いでいる。これに対して、第一部材Ｍ１には、凸部５４に代えて凹部が形成されていてもよい。この場合、第一部材Ｍ１の凹部と第二部材Ｍ２の凹部５５との間に封止部５６を挟み、第一部材Ｍ１の凹部と第二部材Ｍ２の凹部５５とを向かい合わせた状態で、第一部材Ｍ１と第二部材Ｍ２とをねじ止め等により結合する。このように、第一部材Ｍ１の凹部と第二部材Ｍ２の凹部５５との間に挟まれた封止部５６により、第一部材Ｍ１と第二部材Ｍ２との合わせ目の隙間を塞いでもよい。
【００７１】
また、第一保持壁５２には、凸部５２０に代えて凹部が形成されていてもよい。この場合、第一保持壁５２の凹部と第二保持壁５３の凹部５３０との間にパッキン５７を挟み、第一保持壁５２の凹部と第二保持壁５３の凹部５３０とを向かい合わせた状態で、第一部材Ｍ１と第二部材Ｍ２とをねじ止め等により結合する。このように、第一保持壁５２の凹部と第二保持壁５３の凹部５３０との間に挟まれたパッキン５７により、第一保持壁５２と第二保持壁５３との合わせ目の隙間を塞いでもよい。
【００７２】
また、保持壁５１は、第一部材Ｍ１から突出している第一保持壁５２と、第二部材Ｍ２から突出している第二保持壁５３と、を含む構成に限定されない。例えば、保持壁５１は、第一部材Ｍ１及び第二部材Ｍ２のうち一方から突出して形成されていてもよい。すなわち、保持壁５１は、実施形態の第一保持壁５２及び第二保持壁５３のうち一方を左右方向に延長した形状であってもよい。この場合、パッキン５７は、保持壁５１の先端とハウジング５との隙間を塞ぐように配置されればよい。
【００７３】
また、第二空間Ｓ２は、複数の空間に分離されていてもよい。例えば、スイッチケース４４と制御回路４２との間に、配線１００が通る挿通孔５１０が形成された保持壁５１と同様の構成を設けてもよい。さらに、保持壁５１と同様のこの構成の挿通孔に、封止体５１１と同様の部材を挿入してもよい。
【００７４】
また、パワー素子は、駆動回路２４ではなく、制御回路４２に実装されていてもよい。制御回路４２が配置される第二空間Ｓ２は、駆動回路２４が配置される第一空間Ｓ１と比べて水密性が高いので、パワー素子を制御回路４２に実装することにより、パワー素子に水が付着する可能性を低減することができる。
【００７５】
また、仕切部４５０の内部に封止剤を充填して制御回路４２を封止剤で覆うことは、必須ではない。仕切部４５０の内部に封止剤を充填する工程を省略することにより、電動工具１の重量を低減し、また、封止剤を充填するために要するコストを低減できる。
【００７６】
また、本実施形態の電動工具１では、駆動部２２は先端工具を駆動して回転運動させるが、電動工具１は、駆動部２２が先端工具を駆動して直線運動又は曲線運動させる構成であってもよい。また、電動工具１は、例えば、鋸、たがね又は砥石等の先端工具を駆動する構成であってもよい。
【００７７】
また、実施形態では、電動工具１の電源にリチウムイオン電池を用いるが、電池は、１次電池でもよいし、リチウムイオン電池以外の２次電池でもよい。また、電動工具１の電源に商用電源等の外部電源を用いてもよい。
【００７８】
また、電動工具１の各構成の形状は、実施形態で示した形状に限定されない。例えば、実施形態では長方形状に形成されている構成が、正方形状に形成されていてもよい。また、実施形態では直方体状に形成されている構成が、立方体状に形成されていてもよい。
【００７９】
（まとめ）
以上説明したように、第１の態様に係る電動工具１は、モータ２１と、駆動部２２と、操作部３１と、スイッチ４１と、制御回路４２と、ハウジング５と、を備える。駆動部２２は、モータ２１から供給される動力により先端工具を駆動する。操作部３１は、手動操作を受け付ける。スイッチ４１は、操作部３１に手動操作がされると開閉する。制御回路４２は、スイッチ４１の開閉に応じてモータ２１を動作又は停止させる。ハウジング５は、第一空間Ｓ１と、第二空間Ｓ２とを有し、操作部３１を保持する。第一空間Ｓ１には、モータ２１及び駆動部２２が配置される。第二空間Ｓ２には、スイッチ４１及び制御回路４２が配置される。第一空間Ｓ１と第二空間Ｓ２とが互いに分離されている。第二空間Ｓ２は、閉じた空間であり、第一空間Ｓ１と比べて水密性が高い。
【００８０】
上記の構成によれば、第二空間Ｓ２は、閉じた空間であり、第一空間Ｓ１と比べて水密性が高いので、第二空間Ｓ２は、第一空間Ｓ１と比べて水が浸入し難い。すなわち、第二空間Ｓ２に配置された制御回路４２に水が付着する可能性を低減できる。
【００８１】
また、仮に、スイッチ４１と制御回路４２との間の配線１００を第一空間Ｓ１と第二空間Ｓ２とに亘って引き回す場合は、当該配線１００の周りを封止したとしても、当該配線１００を第一空間Ｓ１と第二空間Ｓ２とに亘って引き回さない場合と比較して、第一空間Ｓ１から第二空間Ｓ２へ水が移動しやすいことがある。一方で、上記の構成では、第二空間Ｓ２にスイッチ４１と制御回路４２とが配置されるので、スイッチ４１と制御回路４２との間の配線１００を第二空間Ｓ２のみに引き回すことができる。したがって、スイッチ４１と制御回路４２との間の配線１００を第一空間Ｓ１と第二空間Ｓ２とに亘って引き回す場合と比較して、より確実に、第一空間Ｓ１と第二空間Ｓ２とを互いに分離し、第一空間Ｓ１から第二空間Ｓ２への水の移動を抑制できる。これにより、第二空間Ｓ２の水密性を向上させ、制御回路４２に水が付着する可能性を低減できる。
【００８２】
また、第２の態様に係る電動工具１は、第１の態様において、冷却ファン２７を更に備える。冷却ファン２７は、第一空間Ｓ１に配置され、モータ２１を冷却する。ハウジング５には、通気孔６００が形成されている。通気孔６００は、第一空間Ｓ１につながっている。
【００８３】
上記の構成によれば、モータ２１を冷却できる。また、第一空間Ｓ１と第二空間Ｓ２とが互いに分離されているので、第一空間Ｓ１につながる通気孔６００をハウジング５に形成しても、第二空間Ｓ２の水密性の低下を抑制できる。
【００８４】
また、第３の態様に係る電動工具１では、第１又は２の態様において、ハウジング５は、筒状部６と、グリップ部７と、を含む。筒状部６は、第一空間Ｓ１の少なくとも一部を有する。グリップ部７は、第二空間Ｓ２の少なくとも一部を有する。グリップ部７は、筒状部６の周面６０から突出している。操作部３１は、グリップ部７に保持されている。
【００８５】
上記の構成によれば、ユーザは、グリップ部７を握って、グリップ部７に保持された操作部３１に手動操作をすることができるので、電動工具１を使った作業を行いやすい。
【００８６】
また、第４の態様に係る電動工具１では、第１〜３の態様のいずれか１つにおいて、端子ブロック４７を更に備える。端子ブロック４７は、端子４７１を含む。端子４７１は、電池パックと電気的に接続される。ハウジング５には、嵌込孔８０４が形成されている。嵌込孔８０４は、第二空間Ｓ２につながっており端子ブロック４７が嵌め込まれる。電動工具１は、閉塞部４８を更に備える。閉塞部４８は、ハウジング５の嵌込孔８０４における開口縁と端子ブロック４７との隙間を塞ぐ。
【００８７】
上記の構成によれば、電動工具１に電池パックを取り付けて、端子ブロック４７の端子４７１を電池パックに電気的に接続することができる。また、ハウジング５の嵌込孔８０４における開口縁と端子ブロック４７との隙間は、閉塞部４８により塞がれるので、嵌込孔８０４からの水の浸入を抑制できる。
【００８８】
また、第５の態様に係る電動工具１は、第１〜４の態様のいずれか１つにおいて、保持壁５１を更に備える。保持壁５１は、ハウジング５の内面から突出しており、第一空間Ｓ１と第二空間Ｓ２とを分離し、モータ２１及び駆動部２２を保持する。
【００８９】
上記の構成によれば、保持壁５１は、モータ２１及び駆動部２２を保持して、モータ２１及び駆動部２２を安定的に配置することができる。
【００９０】
また、第６の態様に係る電動工具１は、第５の態様において、配線１００を更に備える。配線１００は、第一空間Ｓ１と第二空間Ｓ２とに亘って配置され、モータ２１と制御回路４２とを電気的に接続する。保持壁５１には、配線１００を通す挿通孔５１０が形成されている。電動工具１は、封止体５１１を更に備える。封止体５１１は、保持壁５１の挿通孔５１０における開口縁と配線１００との隙間を塞ぐ。
【００９１】
上記の構成によれば、挿通孔５１０に配線１００を通してモータ２１と制御回路４２とを電気的に接続できる。かつ、保持壁５１の挿通孔５１０における開口縁と配線１００との隙間を封止体５１１が塞ぐことで、挿通孔５１０からの水の浸入を抑制できる。
【００９２】
また、第７の態様に係る電動工具１では、第１〜６の態様のいずれか１つにおいて、ハウジング５は、第一部材Ｍ１及び第二部材Ｍ２を含む。第一部材Ｍ１及び第二部材Ｍ２は、互いに合わさって第二空間Ｓ２を形成する。電動工具１は、封止部５６、５８を更に備える。封止部５６、５８は、第一部材Ｍ１及び第二部材Ｍ２の合わせ目の隙間を塞ぐことにより、第二空間Ｓ２を封止する。
【００９３】
上記の構成によれば、封止部５６、５８が第一部材Ｍ１及び第二部材Ｍ２の合わせ目の隙間を塞ぐことにより、第二空間Ｓ２を封止するので、第二空間Ｓ２に水が浸入することを抑制できる。
【００９４】
第２〜７の態様に係る構成については、電動工具１に必須の構成ではなく、適宜省略可能である。
【符号の説明】
【００９５】
１  電動工具
２１  モータ
２２  駆動部
２７  冷却ファン
３１  操作部
４１  スイッチ
４２  制御回路
４７  端子ブロック
４７１  端子
４８  閉塞部
５  ハウジング
５１  保持壁
５１０  挿通孔
５１１  封止体
５６、５８  封止部
６  筒状部
６０  周面
６００  通気孔
７  グリップ部
１００  配線
８０４  嵌込孔
Ｍ１  第一部材
Ｍ２  第二部材
Ｓ１  第一空間
Ｓ２  第二空間
【図１】
2019076994.tif 000003
【図２】
2019076994.tif 000004
【図３】
2019076994.tif 000005
【図４】
2019076994.tif 000006
【図５】
2019076994.tif 000007
【図６】
2019076994.tif 000008